(57)【要約】 【課題】  袋の開口端縁、特に閉鎖用フラップを設けていない部分の開口端縁で指先を傷つけることなく、しかも袋の体裁を損なわずに、袋に物を出し入れすることができる閉鎖用フラップ付包装袋を提供する。【解決手段】  袋体の開口端縁を、袋体の前壁部または後壁部に閉鎖用フラップとなる部分を切り出して閉鎖用フラップを形成した包装袋であって、閉鎖用フラップを設けていない部分の開口端縁を連続する微細な波形曲線とし、その波形曲線のピッチが波高よりも大きいことを特徴とする閉鎖用フラップ付包装袋。【選択図】  図１
2006282176.tif 000002
【特許請求の範囲】
【請求項１】
袋体の開口端縁を、袋体の前壁部または後壁部に閉鎖用フラップとなる部分を切り出して閉鎖用フラップを形成した包装袋であって、閉鎖用フラップを設けていない部分の開口端縁を連続する微細な波形曲線とし、その波形曲線のピッチが波高よりも大きいことを特徴とする閉鎖用フラップ付包装袋。
【請求項２】
閉鎖用フラップを設けていない側の壁部開口端縁および袋の左右両側部に設けたひだ部開口端縁を連続する微細な波形曲線とし、その波形曲線のピッチが波高よりも大きいことを特徴とする請求項１に記載の閉鎖用フラップ付包装袋。
【請求項３】
連続する微細な波形曲線のピッチおよび波高が０．１〜５ｍｍであり、ピッチが波高より大きい請求項１または請求項２に記載の閉鎖用フラップ付包装袋。
【請求項４】
波形曲線が、三角波、矩形波、台形波、鋸波、正弦波から選択される１種である請求項１〜３のいずれかに記載の閉鎖用フラップ付包装袋。
【請求項５】
波形曲線の尾根部が、袋の側面方向からみて、袋の長手方向に対し袋の外側および／または内側に湾曲した形状になるように形成した請求項１〜４のいずれかに記載の閉鎖用フラップ付包装袋。
【発明の詳細な説明】
【技術分野】
【０００１】
本発明は、閉鎖用フラップ付包装袋に関するものである。さらに詳しくは、閉鎖用フラップを設けていない部分の開口端縁を、連続する微細な波形曲線とし、その波形曲線のピッチが波高よりも大きくした閉鎖用フラップ付包装袋に関するものである。
【背景技術】
【０００２】
剥離紙で被覆された粘着帯を有する閉鎖用フラップ付包装袋、例えば袋の左右両側にＶ字形に折込んだひだ部を有する角底袋については、従来から宅配袋等に用いられており、特許文献１および特許文献２が開示されている。また、これらの袋には装飾性をもたせることが考慮される場合があるが、特許文献３には袋の装飾性を向上させることを目的として、袋の開口端縁を一般的な紙袋を製造する際の切断工程で生じるギザギザよりもピッチおよび波高が数倍乃至数十倍に拡大した曲線状に構成する態様が開示されている。さらに、特許文献４および特許文献５には閉鎖用フラップ付包装袋を製造する方法が開示されている。また、特許文献６および特許文献７には、袋の開口端縁で手や指先を傷つけるのを防止するため、開口端縁を波形曲線状に構成する態様が開示されている。
【特許文献１】特開２００５−４１５１５号公報
【特許文献２】特開２００１−２７８２９０号公報
【特許文献３】実用新案登録第３０２１３６７号公報
【特許文献４】特許第３０７１６３６号公報
【特許文献５】特許第３１３０００４号公報
【特許文献６】特開平１０−３２４３４４号公報
【特許文献７】特開２０００−２３８７９２号公報
【発明の開示】
【発明が解決しようとする課題】
【０００３】
しかしながら、特許文献４および特許文献５の方法で製造された閉鎖用フラップ付包装袋は、その閉鎖用フラップを成形する工程において、袋の開口端縁の閉鎖用フラップになる部分を除く他の部分をカット刃で直線状に切除してフラップを切り出すことから、前記切断後の袋の開口端縁が鋭利な剃刀のようになることがあり、袋に物を出し入れする際に使用者が手や指先を開口端縁で傷つけるという問題点があった。
【０００４】
また、特許文献３のように、波形曲線のピッチを大きくすると、袋の開口端縁は直線に近い形状となり、手や指先を傷つけることを防ぐことはできなくなる。また、特許文献１〜２、特許文献４〜５にも袋の開口端縁で手や指先を傷つけることを防止する方策については開示も示唆もされていない。さらに、特許文献６の収納紙袋は、形成された波形曲線の尾根部に手や指先が接触した際、尾根部がたわむことにより、開口端縁の切断面と手や指先の接触角度を浅くして手や指先を傷つけることを防止するもので、袋に厚手の紙等の硬質基材を使用した場合、尾根部がたわみにくくなり、手や指先を傷つけるのを防止する効果が不充分となる欠点を有している。特許文献７の紙製の封筒等袋も、開口端縁を波形曲線状にすることは記載されているが、どのような寸法のピッチ、波高等の波形曲線にすれば手や指先を傷つけるのをより効果的に防止し得るかについては、開示も示唆もされていないのが現状である。
ところで、一般に紙袋を製造する際には、巻取り状態の原反から１袋分ずつ紙を切り離して袋に加工するが、紙を切り離し易いように、ギザギザの波形曲線状の刃を設けたカッターで断裁する方法がある。これにより、紙の切断面はギザギザの波形曲線状となるが、閉鎖用フラップ付包装袋の場合、従来上記のように閉鎖用フラップ以外の開口端縁を閉鎖用フラップの切り出しのために直線状に切除するため、フラップの端縁のみが波形曲線状となり、袋に物を出し入れする際に前記開口端縁で手や指先を傷つけるのを防ぐという観点からは不充分であった。
【０００５】
本発明は、上記事情に鑑み、袋の開口端縁、特に閉鎖用フラップを設けていない部分の開口端縁で手や指先を傷つけることなく、しかも袋の体裁を損なわずに、袋に物を容易に出し入れすることができる閉鎖用フラップ付包装袋を提供するものである。
【課題を解決するための手段】
【０００６】
上記従来の閉鎖用フラップ付包装袋類の有する問題点を解決するため、本発明は以下の各発明を包含する。
【０００７】
袋体の開口端縁を、袋体の前壁部または後壁部に閉鎖用フラップとなる部分を切り出して閉鎖用フラップを形成した包装袋であって、閉鎖用フラップを設けていない部分の開口端縁を連続する微細な波形曲線とし、その波形曲線のピッチが波高よりも大きいことを特徴とする閉鎖用フラップ付包装袋。
【０００８】
閉鎖用フラップを設けていない側の壁部開口端縁および袋の左右両側部に設けたひだ部開口端縁を連続する微細な波形曲線とし、その波形曲線のピッチが波高よりも大きいことを特徴とする（１）項に記載の閉鎖用フラップ付包装袋。
【０００９】
連続する微細な波形曲線のピッチおよび波高が０．１〜５ｍｍであり、ピッチが波高より大きい（１）項または（２）項に記載の閉鎖用フラップ付包装袋。
【００１０】
波形曲線が、三角波、矩形波、台形波、鋸波、正弦波から選択される１種である（１）項〜（３）項のいずれか１項に記載の閉鎖用フラップ付包装袋。
【００１１】
波形曲線の尾根部が、袋の側面方向からみて、袋の長手方向に対し袋の外側および／または内側に湾曲した形状になるように形成した（１）項〜（４）項のいずれか１項に記載の閉鎖用フラップ付包装袋。
【００１２】
本願発明者らは、従来の包装袋を製造する際に用いられてきたギザギザの波形曲線をさらに微細なものとし、波形曲線のピッチを波高より大きくすることにより、袋の開口端縁から鋭利さが失われ手や指先を傷つけなくなることを見出し、袋の製造工程中に微細な波形曲線を設ける工程を組込むことに成功した。
【００１３】
本発明によれば、閉鎖用フラップ付包装袋の製造過程において開口端縁の切断面が波形曲線状になるように通常包装袋が製造される基材の原反巻取から断裁するとともに、例えば特許文献４〜５の方法で閉鎖用フラップを切り出す際に、フラップとなる部分以外の余剰部分を微細な三角波、矩形波、台形波、鋸波、正弦波等の特別な波形曲線状で、該波形曲線のピッチが波高より大きくなるような刃型を有するカッターで切断することにより、閉鎖用フラップを設けない側の壁部とひだ部の開口端縁および閉鎖用フラップの端縁を鋭利さを失わせた波形曲線状として、手や指先を傷つけずに物を出し入れすることのできる閉鎖用フラップ付包装袋を提供することができるものである。
【発明を実施するための最良の形態】
【００１４】
本発明の閉鎖用フラップ付包装袋の形態としては、例えば剛性のある紙類あるいは複合フィルム類を筒状に成形し、袋体の左右両側にＶ字形に折込んだひだ部を有し、底部を角底に閉鎖した角底袋の一方の壁部開口端縁に設けた閉鎖用フラップの上端縁と、閉鎖用フラップを設けていない側の壁部開口端縁および左右のひだ部の開口端縁を、袋の幅方向に連続する微細な波形曲線状で、該波形曲線のピッチが波高より大きくする形態や、紙類あるいは複合フィルム類を筒状に成形し、底部を六角底に開披して閉鎖した、あるいは底部を折畳んで閉鎖したひだ部のない包装袋の一方の壁部開口端縁に設けた閉鎖用フラップの上端縁と、閉鎖用フラップを設けていない側の壁部開口端縁を、袋の幅方向に連続する微細な波形曲線状で、該波形曲線のピッチが波高より大きくする形態等が挙げられる。
【００１５】
また、閉鎖用フラップに施す連続する微細な波形曲線は、該フラップの上端縁だけでなく、端縁からフラップの基部に続く左右両端縁に施してもよい。
ここで、本発明の包装袋に施す波形曲線は、三角波、矩形波、台形波、鋸波、正弦波等が挙げられるが、カット刃の加工のし易さから三角波形状とすることが好ましい。
さらに、本発明の微細な波形曲線としては、ピッチｅが０．１〜５ｍｍ、好ましくは０．５〜２ｍｍであり、波高ｆが０．１〜５ｍｍ、好ましくは０．５〜２ｍｍであり、かつピッチが波高より大きいことが本発明の大きな特徴である。ピッチが０．１ｍｍより小さいと波形曲線は直線に近い形状になり、手や指先を傷つけなくなる効果が失われるおそれがある。逆にピッチが５ｍｍを超えると波形曲線が大きな鋸状となり、手や指先を傷つけるおそれがある。また、波高が０．１ｍｍより小さいと波形曲線は直線に近い形状になり、手や指先を傷つけなくなる効果が失われるおそれがある。逆に波高が５ｍｍを超えると波形曲線が大きな鋸状となり、手や指先を傷つけるおそれがある。さらに、波形曲線のピッチを波高より大きく設定し、波形曲線の尾根部を袋の側面方向からみて袋の外側および／または内側に湾曲するように形成する。これによって、波形曲線の尾根部が鋭角的にならず、また垂直に切り立った状態にもならないため、開口端縁に手や指先が接触した際にチクチクとした不快感を受けるという問題点も解消されることになる。
【００１６】
従来の閉鎖用フラップ付包装袋は、フラップとなる部分以外の余剰部分を直線状に切断されるため、開口端縁となる切断面を袋の側面方向からみると、切り口の先端部は袋の長手方向に沿って直線状になっている。一方、本発明によれば、前記の余剰部分を、切断面が微細な波形曲線状とし、該波形曲線のピッチが波高より大きくなるように切断するため、切断面を袋の側面方向からみると、切り口の先端部は袋の長手方向に対し袋の外側および／または内側に湾曲した形状になる。
【００１７】
ところで、袋に物を出し入れする際には、通常、袋の開口端縁に指をかけて口を広げてから出し入れするものである。しかしながら、袋の開口端縁が直線状の場合、袋の各壁面同士が密着して開口端縁に指を掛けにくいことがある。また、直線状のために開口端縁で指が滑ることがあり、そのことが手や指先を傷つける一因にもなっている。
【００１８】
本発明によれば、切り口の先端部が湾曲した形状になることにより、袋の開口端縁にわずかな膨らみが生じる。この膨らみによって開口端縁付近の袋の各壁面は密着し難くなり、また、切断面が微細な波形曲線状で、波形曲線のピッチが波高より大きいので、指を掛けるための手がかりとなり、従来の閉鎖用フラップ付包装袋に比べて袋の開口端縁に容易に指を掛けることができ、袋を広げ易くなるという優れた効果も得られる。
【００１９】
以下、図面を参照して、本発明の閉鎖用フラップ付包装袋を詳細に説明するが、勿論、本発明はこれらによって何等制限されるものではない。
【００２０】
図１は、本発明の第１の実施の形態である、袋の一方の壁部開口端縁に設けた閉鎖用フラップの端縁と、閉鎖用フラップを設けていない側の壁部開口端縁および左右のひだ部の開口端縁を、袋の幅方向に連続するピッチ２ｍｍ、波高１ｍｍの三角波状とした閉鎖用フラップ付角底袋の斜視図である。図２は、図１に示す閉鎖用フラップ付角底袋の正面図である。図３は、図１に示す閉鎖用フラップ付角底袋の側面図である。図４は、本発明の第２の実施の形態である、紙を筒状に成形し、底部を折り畳み、当て紙を貼着して閉鎖したひだ部のない包装袋の一方の壁部開口端縁に設けた閉鎖用フラップの端縁と、閉鎖用フラップを設けていない側の壁部開口端縁を、袋の幅方向に連続するピッチ２ｍｍ、波高１ｍｍの三角波状とした閉鎖用フラップ付包装袋の斜視図である。
【００２１】
図５〜７は、本発明の第１の実施の形態である閉鎖用フラップ付角底袋の開口端縁に三角波の波形曲線を設ける工程の一実施例を示す斜視図、図８は、従来の閉鎖用フラップの端縁にのみ三角波の波形曲線を設けた閉鎖用フラップ付包装袋の斜視図である。図９は、図１に示す包装袋の閉鎖用フラップの端縁および閉鎖用フラップを設けていない側の壁部開口端縁に設けた微細な三角波曲線の部分拡大図である。図１０は、図１に示す包装袋の開口端縁に設けられた微細な波形曲線の部分拡大斜視図、図１１は、図１０に示す包装袋の開口端縁の部分側面図である。
【００２２】
図中において同一の符号は同一の意味を有し、１は包装袋、２は包装袋１の袋前壁部、３はひだ前壁部、４はひだ後壁部、５は袋後壁部、６は閉鎖用フラップ、７ａは波形曲線状の開口端縁、７ｂは直線状の開口端縁、８は送袋チェーン、９は送り爪、１０ａ、１０ｂは回転カッター、１１ａは回転カッターの刃、１１ｂは波形曲線状の刃、１２ａ、１２ｂは切落とし部分、１３は筋付けローラー、ｄはフラップの寸法に相当する距離、ｅは微細な波形曲線のピッチ（波形曲線の尾根と尾根の間隔）、ｆは波形曲線の波高（波形曲線の尾根と谷の間隔）を示す。
【００２３】
図１〜３および図９〜１１に示す包装袋１は、袋体の左右両側にＶ字形に折込んだひだ部を有し、底部を角底に閉鎖して成形した角底袋であり、袋の後壁部５の開口端縁に折畳んで開口端縁を閉鎖するための閉鎖用フラップ６を設けている。閉鎖用フラップ６の端縁には、袋の幅方向全域にピッチ（波形曲線の尾根と尾根の間隔ｅを示す）を２ｍｍ、波高（波形曲線の尾根と谷の間隔ｆを示す）を１ｍｍとした、微細な波形（三角波）曲線状の開口端縁７ａが設けられている。また、閉鎖用フラップの内面側には、粘着剤が塗布され、定寸に切断された剥離紙が貼着される。閉鎖用フラップのない袋前壁部２の開口端縁にも、袋の幅方向全域にピッチ２ｍｍ、波高１ｍｍの微細な波形（三角波）曲線状の開口端縁７ａが設けられている。さらに、袋のひだ部の開口端縁にも、ひだ幅全域にピッチ２ｍｍ、波高１ｍｍの微細な波形（三角波）曲線状の開口端縁７ａが設けられている。これによって、袋の開口端縁は閉鎖用フラップの端縁も含めて全域にピッチ２ｍｍ、波高１ｍｍの微細な波形曲線が配されるため、図８に示す従来の袋のような剃刀状の開口端縁７ｂで手や指先を傷つけることなく、物を出し入れすることができる。
【００２４】
図４に示す包装袋は、袋体の左右両側にひだ部を有しない袋であり、袋の後壁部５の開口端縁に折畳んで開口端縁を閉鎖するための閉鎖用フラップ６を設けている。袋の開口端縁に微細な波形（三角波）曲線状の開口端縁を設ける態様については、図１の包装袋と共通するため、詳細は省略する。
【００２５】
図５〜７に示される工程は、本発明の閉鎖用フラップ付包装袋に微細な波形曲線を設ける工程の一実施例である。本実施例における閉鎖用フラップ付角底袋は、公知の製袋機で製袋されたものでも、あるいは手作業により製袋されたものでもよい。図５に示す第一工程では、袋前壁２、袋後壁５を具えた袋体の両側にＶ字形に折畳んだひだ前壁３、ひだ後壁４からなるひだ部を有し、開口端縁をピッチ２ｍｍ、波高１ｍｍの微細な波形曲線状に切断された角底袋１が送り爪９のついた送袋チェーン８によってその長さ方向と直角の方向に１袋ずつ一定間隔で第二工程に送り出される。
【００２６】
図６に示すように、本実施例の第二工程では、その周囲２箇所に斜めに配置された直線状の刃１１ａを具えた回転カッター１０ａで、角底袋１の両側端縁を袋前壁２、ひだ前壁３、ひだ後壁４、袋後壁５の４層にわたり、開口端縁から予定される閉鎖用フラップの寸法ｄに相当する距離だけ、角底袋１の長さ方向中央寄りの位置から開口端縁に向って斜め内向きに切落とす。第二工程を完了した角底袋１は第三工程に送られる。
【００２７】
図７に示される本実施例の第三工程では、まず角底袋１を一対の筋付けローラー１３の間を通過させ、開口端縁から予定されている閉鎖用フラップの寸法ｄに相当する距離だけ角底袋１の長さ方向中央寄りの部位に袋幅全幅にわたり、開口端縁と平行に筋目を付ける。これは閉鎖用フラップ６を形成する袋後壁５を次の段階で下方に曲げて他の３層から分離し易くするとともに、完成した角底袋１の閉鎖用フラップ６を折り曲げて閉鎖し易くするためである。
【００２８】
次いで、第二工程における両側端縁の切落としによって分離された開口端縁の袋前壁２、ひだ前壁３、ひだ後壁４、袋後壁５の中で、袋後壁５だけを外側に曲げ、他の３層（２、３、４）と分離した状態で送り、これら残りの３層を開口端縁から予定されている閉鎖用フラップ６の寸法に相当する距離だけ角底袋１の長さ方向中央寄りの位置で開口端縁と平行に、回転カッター１０ｂで切断する。このとき、回転カッター１０ｂの刃１１ｂをピッチ２ｍｍ、波高１ｍｍとする微細な三角波形曲線状に形成して、袋前壁２の外側から刃を当接して切断することにより、図１０および図１１に示すように、前記３層切断後の開口端縁は、刃１１ｂに外側を向ける袋前壁２およびひだ後壁４において、尾根部が袋の内側に向って湾曲した、ピッチ２ｍｍ、波高１ｍｍとする微細な三角波形曲線状となり、刃１１ｂに内側を向けるひだ前壁３においては、尾根部が袋の外側に向って湾曲した、ピッチ２ｍｍ、波高１ｍｍとする微細な三角波形曲線状となる。
【００２９】
以上の工程により、角底袋１の袋後壁５の開口端縁に閉鎖用フラップ６が形成され、フラップの端縁、袋前壁、ひだ前壁およびひだ後壁に微細な波形曲線状の開口端縁７が形成される。
【００３０】
以下、本発明において使用される基材、材料についてまとめて説明するが、本発明は、これらによって何ら制限されるものではない。
【００３１】
また、本発明の包装袋の素材としては、例えばポリエチレンの延伸テープを直交するよう積層した不織布あるいはポリプロピレンのスプリットヤーンを紙と貼合せた積層材料や剛性のある厚手の紙等の他に、包装袋に用いられる公知の素材を使用することができる。また、本発明の閉鎖用フラップ付包装袋は、例えば特許文献１〜４に記載されたような、公知の製造方法によって製造しても、あるいは手作業で製造してもよい。
【００３２】
本発明の閉鎖用フラップ付包装袋は、底部を閉鎖し、さらに閉鎖用フラップ部に剥離紙で被覆された粘着帯を有するものである。まず、包装袋を構成する基材としては、特に限定されず、公知のものが使用でき、例えば、防水性、耐破れ強度が要求されるため、クラフト紙等の剛性のある厚手の紙類、ポリエチレンの延伸テープを直交するよう積層した不織布あるいはポリプロピレンのスプリットヤーンを紙と貼合せた積層シート、クラフト紙の表面にポリエチレン製ラミネート層・補強材としての経緯積層網状体（例えば、積水化学工業社製の商品名「ソフ」、日石プラスト社製の商品名「割布」等）・ポリエチレン製ラミネート層・バック印刷が施された二軸延伸ポリプロピレンフィルムを順次積層した複合シート等が挙げられる。基材の坪量としては、５０〜１４０ｇ／ｍ２である。坪量が大きくなる程、手や指を切ることは少なくなるが、経済性や袋の加工適性を考慮して、適宜決定される。
【００３３】
また、底部を閉鎖する接着剤としては、公知の接着剤が使用でき、例えば、デンプン系樹脂、ＰＶＡ系樹脂、アクリル系樹脂、エチレン−酢酸ビニル系樹脂等の水性接着剤、アクリル系樹脂、ウレタン系樹脂、ゴム系樹脂等の溶剤系接着剤、低密度ポリエチレン、線状低密度ポリエチレン、エチレン−酢酸ビニル共重合体、ポリプロピレン、エチレン−アクリル酸共重合体、エチレン−メタクリル酸共重合体、エチレン−メチルアクリレート共重合体、エチレン−エチルアクリレート共重合体、エチレン−メチルメタクリレート共重合体、エチレン−ビニルアルコール共重合体、アイオノマー、ポリメチルペンテン、ポリブテン−１等のヒートシール接着剤が挙げられる。中でも、接着剤の加工のし易さおよび接着力の観点からデンプン系樹脂が好ましい。
【００３４】
さらに、閉鎖用フラップ部に貼着される粘着帯に使用される粘着剤としては、アクリル系樹脂、ウレタン系樹脂、ビニルエーテル系樹脂、天然ゴム系樹脂、ＳＩＳ、ＳＢＳ、ＳＢＲ、ＳＢＥＳ等のエマルション型、溶剤型、ホットメルト型のものが挙げられるが、超強粘着を要求される用途には、ＳＩＳ、ＳＢＳ、ＳＥＢＳ、ＳＢＲ等のホットメルト型粘着剤が好ましい。また、粘着剤層を保護するため、ポリエチレンラミネート紙、グラシン紙等の公知の剥離紙で被覆しておくことが好ましい。
【産業上の利用可能性】
【００３５】
本発明の閉鎖用フラップ付包装袋は、閉鎖用フラップを設けていない部分の開口端縁を、連続する微細な波形曲線状でその波形曲線のピッチが波高より大きくすることにより、開口端縁で手や指先を傷つけることがなく、しかも袋としての体裁を損なわずに、袋に物を出し入れすることができ、宅配用等に使用する閉鎖用フラップ付包装袋として極めて有用である。
【図面の簡単な説明】
【００３６】
【図１】本発明の第１の実施の形態である、袋の一方の壁部開口端縁に設けた閉鎖用フラップの端縁と、閉鎖用フラップを設けていない側の壁部開口端縁および左右のひだ部の開口端縁を、袋の幅方向に連続するピッチ２ｍｍ、波高１ｍｍの微細な波形（三角波）曲線状とした閉鎖用フラップ付角底袋の斜視図である。
【図２】図１に示す閉鎖用フラップ付角底袋の正面図である。
【図３】図１に示す閉鎖用フラップ付角底袋の側面図である。
【図４】本発明の第２の実施の形態である、紙を筒状に成形し、底部を折り畳み、当て紙を貼着して閉鎖したひだ部のない包装袋の一方の壁部開口端縁に設けた閉鎖用フラップの端縁と、閉鎖用フラップを設けていない側の壁部開口端縁を、袋の幅方向に連続するピッチ２ｍｍ、波高１ｍｍの微細な波形（三角波）曲線状とした閉鎖用フラップ付包装袋の斜視図である。
【図５】本発明の第１の実施の形態である閉鎖用フラップ付角底袋の開口端縁に微細な波形曲線を設ける工程の一実施例の第一工程を示す斜視図である。
【図６】本発明の第１の実施の形態である閉鎖用フラップ付角底袋の開口端縁に微細な波形曲線を設ける工程の一実施例の第二工程を示す斜視図である。
【図７】本発明の第１の実施の形態である閉鎖用フラップ付角底袋の開口端縁に微細な波形曲線を設ける工程の一実施例の第３工程を示す斜視図である。
【図８】従来の閉鎖用フラップの端縁にのみ波形（三角波）曲線を設けた閉鎖用フラップ付包装袋の斜視図である。
【図９】図１に示す包装袋の閉鎖用フラップの端縁および閉鎖用フラップを設けていない側の壁部開口端縁に設けた波形（三角波）曲線の部分拡大図である。
【図１０】本発明の第１の実施の形態である閉鎖用フラップ付角底袋の開口端縁に設けられた微細な波形曲線の部分拡大斜視図である。なお、閉鎖用フラップ端縁に設けられた波形曲線は、この図では省略されている。
【図１１】図１０に示す閉鎖用フラップ付角底袋の開口端縁の部分側面図である。
【符号の説明】
【００３７】
１    ：袋体
２    ：袋前壁部
３    ：ひだ前壁部
４    ：ひだ後壁部
５    ：袋後壁部
６    ：閉鎖用フラップ
７ａ  ：波形曲線状の開口端縁
７ｂ  ：直線状の開口端縁
８    ：送袋チェーン
９    ：送り爪
１０ａ：回転カッター
１０ｂ：回転カッター
１１ａ：刃
１１ｂ：波形曲線状の刃
１２ａ：切落とし部分
１２ｂ：切落とし部分
１３  ：筋付けローラー
ｄ    ：閉鎖用フラップの寸法に相当する距離
ｅ    ：微細な波形曲線のピッチ（波形曲線の尾根と尾根の間隔）
ｆ    ：微細な波形曲線の波高（波形曲線の尾根と谷の間隔）
【図１】
2006282176.tif 000003
【図２】
2006282176.tif 000004
【図３】
2006282176.tif 000005
【図４】
2006282176.tif 000006
【図５】
2006282176.tif 000007
【図６】
2006282176.tif 000008
【図７】
2006282176.tif 000009
【図８】
2006282176.tif 000010
【図９】
2006282176.tif 000011
【図１０】
2006282176.tif 000012
【図１１】
2006282176.tif 000013